(57)【要約】【課題】  往復作動する操作ロッドで繰出し用の操作アームを往復揺動させる農用繰出し装置において、繰り出し量が勝手に変化してしまうことを未然に回避する。【解決手段】  操作アーム４７の長手方向に移動可能な第１可動部材６１に、第２可動部材６２を操作アーム４７の長手方向に移動可能に支持し、第１可動部材６１に位置固定に備えた位置決めピン７３が選択係脱される複数の係合凹部７４を揺動アーム４７の長手方向に沿って並列形成し、第２可動部材６２を第１可動部材６１に対して操作アーム４７の長手方向にねじ送り移動させる微調節手段を備え、第２可動部材６２に操作ロッド４８を連結ピン７９で枢支連結するとともに、第１可動部材６１を操作アーム４７に固定する締め込み操作具６４を設け、この締め込み操作具６４の締め込み操作によって第２可動部材６２を共締め固定するよう構成してある。【選択図】        図１２
2007267615.tif 000002
【特許請求の範囲】
【請求項１】
繰出し操作軸から延出された操作アームにクランク機構から延出された操作ロッドを連結し、操作ロッドの押し引き作動によって前記操作アームを往復揺動させるよう構成するとともに、操作アームに対する操作ロッドの連結点を操作アームの長手方向に位置調節して繰出し量調節を行うよう構成した農用繰出し装置において、
前記操作アームの長手方向に移動可能な第１可動部材に、第２可動部材を操作アームの長手方向に移動可能に支持し、第１可動部材に位置固定に備えた位置決めピンが選択係脱される複数の係合凹部を揺動アームの長手方向に沿って並列形成し、第２可動部材を第１可動部材に対して揺動アームの長手方向にねじ送り移動させる微調節手段を備え、第２可動部材に前記操作ロッドを連結ピンで枢支連結するとともに、前記第１可動部材を操作アームに固定する締め込み操作具を設け、この締め込み操作具の締め込み操作によって前記第２可動部材を共締め固定するよう構成してあることを特徴とする農用繰出し装置。
【請求項２】
前記連結ピンに牽制金具を連結固定し、この牽制金具を前記位置決めピンに対して揺動アームの長手方向に相対移動可能、かつ、連結ピンの軸心周りに回動不能に係合してある請求項１記載の農用繰出し装置。
【請求項３】
前記締め込み操作具を前記操作アームの上方から回動操作可能に構成するとともに、操作アームの上面に調節量表示用のゲージを設けてある請求項１または２記載の農用繰出し装置。
【請求項４】
前記繰出し操作軸に、回転伝達方向が同一の一対の一方向回転クラッチを装着し、一方の一方向回転クラッチを介して前記操作アームを装着するとともに、他方の一方の一方向回転クラッチを介して装着された作動アームと前記操作アームとを反転リンク機構を介して反転連動し、操作アームの往復揺動における往動を一方の一方向回転クラッチを介して繰出し操作軸に伝達するとともに、操作アームの往復揺動における復動を反転リンク機構、作動アーム、および、他方の一方向回転クラッチを介して繰出し操作軸に伝達するよう構成し、前記反転リンク機構を構成するリンク部材の取外しによって、操作アームの復動の繰出し操作軸への伝達を遮断するよう構成してある請求項１〜３のいずれか一項に記載の農用繰出し装置。
【請求項５】
取外した前記リンク部材を脱着自在に係止保持する保持部をフレームに備えてある請求項４記載の農用繰出し装置。
【請求項６】
前記操作ロッドの端部を自在接ぎ手構造に構成してある請求項１〜５のいずれか一項に記載の農用繰出し装置。
【発明の詳細な説明】
【技術分野】
【０００１】
本発明は、ホッパに貯留した粉粒状の肥料や薬剤などを定量づつ繰出す農用繰出し装置に関する。
【背景技術】
【０００２】
上記農用繰出し装置としては、繰出し操作軸から延出された操作アームにクランク機構から延出された操作ロッドを連結し、操作ロッドの押し引き作動によって操作アームを往復揺動させ、繰出し操作軸を間欠的あるいは脈動的に順送り回動させて、繰出しロールなどを駆動回転させるよう構成したものが多用されている。
【０００３】
このような農用繰出し装置では、状況に応じて繰出し量を調節する必要があり、その手段として、操作アームに対する操作ロッドの連結点を操作アームの長手方向に位置調節することで、操作ロッドの定められた往復作動ストロークに対する操作アームの揺動角度を変更するよう構成した繰出し量調節機構が採用されている。
【０００４】
上記繰出し量調節機構としては、操作アームの長手方向に移動可能な第１可動部材に、第２可動部材を揺動アームの長手方向に移動可能に嵌合支持し、第１可動部材および第２可動部材に亘って貫通装着した位置決めピンを係入する係合凹部を、操作アームの長手方向複数箇所に形成するとともに、第１可動部材を操作アームに引き寄せ移動させて位置決めピンを係合凹部に係合押圧させるねじ込み操作部を設け、第２可動部材を第１可動部材に対して揺動アームの長手方向にねじ送り移動させる微調節手段を備え、この第２可動部材に操作ロッドを枢支連結したものが知られている（特許文献1参照）。
【特許文献１】特開２００３−３１００１７号公報（図１７、図１８）
【発明の開示】
【発明が解決しようとする課題】
【０００５】
上記調節構造によると、第１可動部材の有段位置調節と第２可動部材の連続位置調節とを組み合わせて任意の繰出し量調節を行うことができるものであるが、繰り返す往復作動によってねじ締め箇所に弛みが発生するおそれがある。第１可動部材を操作アームに引き寄せ移動させて位置決めピンを係合凹部に係合押圧させるねじ込み操作部は、大きいノブ付きのナットを用いて簡単に強く締め付け固定しておくことができるのであるが、操作ロッドが連結された第２可動部材をねじ送り移動させる微調節手段には、操作ロッドによる操作力が繰り返し正逆に作用するために弛みが発生しやすく、知らずに使用しているうちに勝手に繰り出し量が変化してしまうおそれがあった。
【０００６】
本発明は、このような点に着目してなされたものであって、操作ロッドが連結された第２可動部材を簡単にロックして勝手に繰り出し量が変化してしまうことを未然に回避することを目的としている。
【課題を解決するための手段】
【０００７】
第１の発明は、繰出し操作軸から延出された操作アームにクランク機構から延出された操作ロッドを連結し、操作ロッドの押し引き作動によって前記操作アームを往復揺動させるよう構成するとともに、操作アームに対する操作ロッドの連結点を操作アームの長手方向に位置調節して繰出し量調節を行うよう構成した農用繰出し装置において、
前記操作アームの長手方向に移動可能な第１可動部材に、第２可動部材を操作アームの長手方向に移動可能に支持し、第１可動部材に位置固定に備えた位置決めピンが選択係脱される複数の係合凹部を揺動アームの長手方向に沿って並列形成し、第２可動部材を第１可動部材に対して揺動アームの長手方向にねじ送り移動させる微調節手段を備え、第２可動部材に前記操作ロッドを連結ピンで枢支連結するとともに、前記第１可動部材を操作アームに固定する締め込み操作具を設け、この締め込み操作具の締め込み操作によって前記第２可動部材を共締め固定するよう構成してあることを特徴とする。
【０００８】
上記構成によると、第１可動部材の移動調節によって有段の繰出し量調節を行うとともに、第１可動部材に対する第２可動部材のネジ送り調節によって無段階の繰出し量微調節を行い、締め込み操作具を締め込み操作することによって、第１可動部材を操作アームに固定するとともに第２可動部材をも共締め固定してしまう。
【０００９】
従って、第１の発明によると、締め込み操作具の締め込み操作だけで第１可動部材のみならず第２可動部材のロックをかけることができ、連続使用中に第２可動部材が移動して繰出し量が勝手に変化してしまうことを確実に防止することができる。
【００１０】
第２の発明は、上記第１の発明において、
前記連結ピンに牽制金具を連結固定し、この牽制金具を前記位置決めピンに対して操作アームの長手方向に相対移動可能、かつ、連結ピンの軸心周りに回動不能に係合してあるものである。
【００１１】
上記構成によると、位置決めピンの回動による摩耗を抑制することができ、長期間に亘ってガタつきなく円滑に作動させることができる。
【００１２】
第３の発明は、上記第１または第２の発明において、
前記締め込み操作具を前記操作アームの上方から回動操作可能に構成するとともに、操作アームの上面に調節量表示用のゲージを設けてあるものである。
【００１３】
上記構成によると、操作アームの上方から繰出し量調節操作を行うことができ、運転座席の後方に繰出し装置を配備した施肥装置に適用した場合、運転部から手を伸ばして繰出し量調節を行うことが可能となり、作業途中の調節も運転部から降りることなく行うことができる。
【００１４】
第４の発明は、上記第１〜３のいずれか一つの発明において、
前記繰出し操作軸に、回転伝達方向が同一の一対の一方向回転クラッチを装着し、一方の一方向回転クラッチを介して前記操作アームを装着するとともに、他方の一方の一方向回転クラッチを介して装着された作動アームと前記操作アームとを反転リンク機構を介して反転連動し、操作アームの往復揺動における往動を一方の一方向回転クラッチを介して繰出し操作軸に伝達するとともに、操作アームの往復揺動における復動を反転リンク機構、作動アーム、および、他方の一方向回転クラッチを介して繰出し操作軸に伝達するよう構成し、前記反転リンク機構を構成するリンク部材の取外しによって、操作アームの復動の繰出し操作軸への伝達を遮断するよう構成してあるものである。
【００１５】
上記構成によると、反転リンク機構を機能させることで、往復操作される操作アームの往動および復動のそれぞれで繰出し操作軸を一定方向に脈動的に回動させることができ、リンク部材を取外して反転リンク機構を機能しなくすることで、往復操作される操作アームの往動あるいは復動の一方だけで繰出し操作軸を一定方向に間欠的に回動させることになり、繰出し量を半減することができ、全体として広い範囲での繰出し量調節が可能となる。
【００１６】
第５の発明は、上記第４の発明において、
取外した前記リンク部材を脱着自在に係止保持する保持部をフレームに備えてあるものである。
【００１７】
上記構成によると、繰出し量を半減調節した際に取外したリンク部材を紛失することなく保管しておくことができる。
【００１８】
第６の発明は、上記第１〜５のいずれか一つの発明において、
前記操作ロッドの端部を自在接ぎ手構造に構成してあるものである。
【００１９】
上記構成によると、クランク機構によって往復作動される操作ロッドと第２可動部材を枢支連結する連結ピンに不当なねじりが働いて偏摩耗や打滅によるガタの発生するのを防止し、長期わたって円滑に作動させることができる。
【発明を実施するための最良の形態】
【００２０】
図１に、８条植え仕様に構成された施肥装置付き田植機の全体側面が示されている。この施肥装置付き田植機は、操向可能な前輪１および操向不能な後輪２を備えて４輪駆動で走行する走行機体３の後部に、８条植え仕様の苗植付け装置４が、油圧シリンダ５によって駆動される平行四連リンク構造の昇降リンク機構６の後端部に連結されるとともに、走操行機体３の後部に施肥装置７が備えられた基本構造を有している。
【００２１】
前記走行機体３の前部にはエンジン８が搭載され、その出力が前後進の切り換えが可能な主変速装置である静油圧式無段変速装置（ＨＳＴ）９に伝達され、その変速出力がミッションケース１０に入力されて更にギヤ変速された後、前輪１と後輪２に伝達されるようになっている。
【００２２】
前記苗植付け装置４は昇降リンク機構６の後端部に脱着可能に連結支持されており、横長角筒状の植付けフレーム１１、前記ミッションケース１０から取り出された作業用動力を受けるフィードケ−ス１２、マット状苗を載置して一定ストロークで往復横移動する苗のせ台１３、苗のせ台１３の下端から一株分づつ苗を切り出して植付ける８組の回転式の植付け機構１４、圃場の植付け予定箇所を均平にする５個の整地フロート１５が備えられており、前記植付け機構１４は、植付けフレーム１１に後向き片持ち状に並列連結された４個の植付けケース１６の後部左右に２組づつ装着されている。
【００２３】
前記施肥装置７は、その主部が走行機体３の後部に配備された運転座席１７と前記苗植付け装置４との間において走行機体３に搭載されており、粉粒状の肥料を貯留する肥料ホッパ２１、この肥料ホッパ２１内の肥料を繰り出す回転式の繰出し機構２２、繰り出された肥料を供給ホース２３を介して苗植付装置４の各整地フロート１５に備えた作溝器２４に風力搬送するブロワ２５、これを駆動する電動モータ２６、ブロワ２５からの搬送風を繰出し機構２２に分配供給する送風ダクト２７、などを備えている。苗植付け装置４に動力を伝達する植付クラッチ（図示せず）の入切を検出する検出センサー（図示せず）が備えられており、植付けクラッチが入操作されていると動力モータ２６が作動し、植付けクラッチが切操作されていると動力モータ２６が停止する。
【００２４】
繰出し機構２２は、肥料ホッパ２１の下端に連結される繰出しケース３０に２条分の繰出しロール（図示せず）を装備して構成されており、図３に示すように、４組の繰出し機構２２が左右に並列配備されるとともに、各繰出し機構２２に２本づつ前記供給ホース２３が接続され、もって、８条分の肥料繰り出し供給が可能となっている。
【００２５】
供給ホース２３は繰出しケース３０に脱着自在に接続されており、苗植付け装置４を昇降リンク機構６から取外した際、図４〜図６に示すように、植付けフレーム１１から立設された苗のせ台支持用の支柱１８に横フレーム１８ａを介して取り付けた切欠きループ状の受け棒１９に、下向きに屈曲変形させた供給ホース２３の遊端側を挿通支持するように構成されている。屈曲された供給ホース２３は弾性復元力で伸長しようとするので、その復元力で受け棒１９に挿通支持された状態が維持される。
【００２６】
図８に示すように、前記繰出しケース３０は、ロール軸心を通る分割面において上下に分割されており、上部ケース３０ａが肥料ホッパ２１の下端に連結されるとともに、下部ケース３０ｂが機体側に固定されている。上部ケース３０ａに連結した支持ブラケット３２が走行機体３の後部から立設したフレーム３３に支点ｐを中心に上下回動可能に構成されており、肥料ホッパ２１および上部ケース３０ａを支点ｐ周りに後方に回倒することで、繰出しケース３０を開放してケース内の清掃や繰出しロールの取り外し清掃などのメンテナンスを行うことが可能となっている。前記支持ブラケット３２に連結された丸パイプ製のホッパ支持フレーム３４と走行機体３から立設したフレーム３５とを、バックル型の止め金具３６で連結することで、上部ケース３０ａが下部ケース３０ｂに接続された所定の繰出し作用位置に固定されるようになっている。なお、肥料ホッパ２１および上部ケース３０ａを持上げ回動する際、ホッパ支持フレーム３４を取っ手として使用することができる。
【００２７】
次に、繰出し機構２２の駆動構造について説明する。図３，図８に示すように、並列配備された４つの繰出し機構２２に亘って全条共通の繰出し操作軸４１が横架され、この繰出し操作軸４１に備えた駆動ギヤ４２と繰出しロール軸４３に備えた従動ギヤ４４とが咬合連動されている。繰出し操作軸４１は、ミッションケース１０から後向きに導出されて走行機体３の下部に沿って配備された施肥駆動軸４５の後端にクランク機構４６を介して連動連結されている。
【００２８】
前記クランク機構４６は、施肥駆動軸４５の後端の連結されたクランクアーム４９と、これから上方に延出された操作ロッド４８とで構成されており、前記繰出し操作軸４１に装着した操作アーム４７と操作ロッド４８の上端部とが連動連結され、クランクアーム４９の一定方向回転に伴って操作アーム４７が往復揺動され、その往復揺動が繰出し操作軸４１に伝達され、繰出し操作軸４１が脈動的に所定方向に回転駆動されることで、繰出し操作軸４１にギヤ連動された繰出しロール軸４３が所定の繰出し回転方向（この例では反時計方向）に回転駆動されるようになっており、その詳細な構造が図９，図１０に示されている。
【００２９】
繰出し操作軸４１には回転伝達方向が同じ特性の一方向回転クラッチ５１，５２が一対並列装着されており、その一方の一方向回転クラッチ５１に前記操作アーム４７が外嵌装着されるとともに、他方の一方向回転クラッチ５２に作動アーム５３が外嵌装着され、操作アーム４７と作動アーム５３とが反転リンク機構５４を介して反転連動されている。
【００３０】
反転リンク機構５４は、操作アーム４７の基部から一体延出された連係アーム４７ａと、支点軸５５周りに回動可能に配備された中継リンク５６の一端部５６ａとを短いリンク部材５７で連動連結するとともに、中継リンク５６の他端部５６ｂと作動アーム５３とを長いリンク部材５８で連動連結して構成されている。
【００３１】
上記構成によると、操作アーム４７の下方揺動（往動）が一方の一方向回転クラッチ５１を介して繰出し操作軸４１に伝達されて、繰出し操作軸４１が所定角度だけ所定方向（図では時計方向）に揺動され、操作アーム４７の上方揺動（復動）が作動アーム５３および他方の一方向回転クラッチ５２を介して繰出し操作軸４１に伝達されて、繰出し操作軸４１が所定角度だけ所定方向（図では時計方向）に揺動され、もって、操作アーム４７の往復揺動に伴って繰出し操作軸４１が脈動的に一定方向に回転駆動されて、繰出しローラ軸４３が繰出し方向にピッチ送りされるのである。
【００３２】
前記反転リンク機構５４におけるリンク部材５８は、その両端に装着された抜け止めピン５９を取り外すことで、作動アーム５３および中継リンク５６から取外すことができるように構成されており、このリンク部材５８を取外して反転リンク機構５４の機能を無くすと、操作アーム４７の往復作動の内の復動による繰出し操作軸４１への伝達が遮断され、操作アーム４７の往動のみによって繰出し操作軸４１が間欠的に所定方向に揺動される。従って、繰出し操作軸４１にギヤ連動された繰出しロール軸４３が間欠的に所定の繰出し方向（図では反時計方向）に順送り回動され、操作アーム４７の往動および復動で繰出し操作軸４１を駆動する通常時に比べて単位時間当たりの肥料繰出し量が半減されるのである。
【００３３】
上記のようにして肥料繰出し量を半減する場合、取外したリンク部材５８は、図７，図１１に示すように、フレーム３３の適所から突設したブラケット３３ａに打ち込み固定した樹脂製バネクランプからなる保持部６０を介して弾性係止しておくよう構成されている。
【００３４】
肥料繰出し量の調節は、前記操作アーム４７と操作ロッド４８との連結位置を操作アーム４７の長手方向に変更調節し、操作ロッド４８の一定ストロークの押し引き移動に対する操作アーム４７の揺動角度を変更して行うよう構成されており、その詳細な構造が、図９，図１０，図１２，図１３に示されている。
【００３５】
操作アーム４７は、下向きコの字形の断面形状に形成された板金材で構成されており、その下向きに開放された内部空間に板金部材からなる第１可動部材６１と第２可動部材６２がそれぞれアーム長手方向に移動可能に内嵌されている。第１可動部材６１および第２可動部材６２はそれぞれが板金材で前方および下方に開放された箱形に形成されており、第１可動部材６１の内側に第２可動部材６２が内嵌されている。
【００３６】
操作アーム４７の上面にはアーム長手方向に沿ってスリット６３が形成されており、このスリット６３を通してアーム内方に突入された締め込み操作具としてのノブ付きボルト６４が、第１可動部材６１の上面に形成した丸孔６５および第２可動部材６２の上面に形成した前後長孔６６に挿通され、第２可動部材６２の内部に配備されたナット６７に螺入装着されるようになっている。
【００３７】
第２可動部材６１には六角ボルトを利用したネジ軸６８が操作アーム４７の長手方向に軸心を向けて後向きに溶接固定され、このネジ軸６８に回動操作部材６９がねじ込み装着されている。
【００３８】
第１可動部材６１の上方箇所には左右に貫通して丸孔７１が形成されるとともに、第２可動部材に６２は左右に貫通して前後長孔７２が形成され、これら丸孔７１および前後長孔７２に亘って位置決めピ７３が挿通止着されている。
【００３９】
操作アーム４７の下端縁には、複数個の係合凹部７４が操作アーム４７の長手方向に所定ピッチで形成されており、第１可動部材６１を操作アーム４７の長手方向に任意に移動してノブ付きボルト６４を締め込むことで、第１可動部材６１を上方に引き寄せて、位置決めピン７３をいずれかの係合凹部７４に押し込み係合して、第１可動部材６１をアーム長手方向に位置固定するように構成されている。この場合、ノブ付きボルト６４の締め込みによって第２可動部材６２も上方に引き寄せられ、第１可動部材６１と第２可動部材６２は共締め状態で固定される。
【００４０】
第１可動部材６１のネジ軸６８に装着された回動操作部材６９の外周には環状溝７５が形成されるとともに、第１可動部材６２の後壁部に切欠き形成した案内凹部７６に回動操作部材６９を挿入して案内凹部７６の左右端縁を環状溝７５に係入するよう構成されている。
【００４１】
第２可動部材６２の下方箇所には左右に貫通して丸孔７７が形成されるとともに、第１可動部材６１の下方箇所には左右に貫通して大径の前後長孔７８が形成されており、この丸孔７７に挿通支持した連結ピン７９に前記操作ロッド４８の上端部が連結されている。第１可動部材６１の前後長孔７８は連結ピン７９に接触しない大きさに形成されており、第２可動部材６２が前後移動する際の連結ピン７９の移動を許すためだけに形成されている。
【００４２】
上記調節構造によると、ノブ付きボルト６４を緩めて位置決めピン７３が係合凹部７４から外れる位置まで第１可動部材６１を下方移動させた後、第１可動部材６１を操作アーム４７の長手方向に任意に移動し、再びノブ付きボルト６４を締め込んで第１可動部材６１を引き上げ、位置決めピン７３を所望の係合凹部７４に押しつけることで、操作アーム４７と操作ロッド４８との連結点を多段に位置調節することができる。
【００４３】
位置決めピン７３を選択した係合凹部７４に係合させて第１可動部材６１を位置決めし、かつ、ノブ付きボルト６４を完全に締め込まない状態で回動操作部材６９を回動操作すると、第２可動部材６２が第１可動部材６１に対して前後にネジ送り移動されることになり、これによって操作アーム４７と操作ロッド４８との連結点を操作アーム長手方向に無段階に位置調節（微調節）することができる。
【００４４】
上記のように第１可動部材６１の有段調節および第２可動部材６２の無段階の微調節を行った後、ノブ付きボルト６４をきつく締め込むことで、第１可動部材６１の位置固定のみならず第２可動部材６２による微調節のロックがなされる。
【００４５】
なお、前記連結ピン７９には牽制金具８０が連結固定されるとともに、この牽制金具８０に形成した前後向きの凹部８１が位置決めピン７３に係合されている。これによって、連結ピン７９の軸心周りの回動を不能にしながら第２可動部材６２の操作アーム長手方向への移動を可能にすることができ、連結ピン７９の回動による摩耗を回避することができる。
【００４６】
操作アーム４７の一側面から上面に亘って１枚のゲージ８２が貼付けられて、操作アーム４７の側方からのみならず、上方からも繰出し量を目視確認することができるようになっている。
【００４７】
第２可動部材６２に枢支連結される操作ロッド４８の端部は、連結ピン７９が挿通連結される回動支点部と、その回動軸心と直交する軸心周りに回動自在な回動支点部を備えた自在接ぎ手構造に構成されており、クランク機構４６によって押し引き往復作動される操作ロッド４８から連結ピン７９に不当なねじりが働いて偏摩耗や打滅が発生することが防止されている。
【図面の簡単な説明】
【００４８】
【図１】施肥装置付き田植機の側面図
【図２】施肥装置の主部を示す側面図
【図３】施肥装置の主部を示す背面図
【図４】取り外された苗植付け装置の側面図
【図５】取り外された苗植付け装置における供給ホース格納構造を示す正面図
【図６】取り外された苗植付け装置における供給ホース格納構造を示す平面図
【図７】取り外されたリンク部材の保持構造を示す斜視図
【図８】施肥装置の主部を示す側面図
【図９】繰出し量調節構造の側面図
【図１０】繰出し量調節構造の横断平面図
【図１１】施肥装置の一部を示す側面図
【図１２】繰出し量調節構造の縦断側面図
【図１３】繰出し量調節構造の分解斜視図
【図１４】繰出し量調節構造の縦断正面図
【符号の説明】
【００４９】
３３              フレーム
４１              繰出し操作軸
４６              クランク機構
４７              操作アーム
４８              操作ロッド
５１              一方向回転クラッチ
５２              一方向回転クラッチ
５３              作動アーム
５４              反転リンク機構
５８              リンク部材
６１              第１可動部材
６２              第２可動部材
６４              締め込み操作具（ノブ付きボルト）
７３              位置決めピン
７４              係合凹部
７９              連結ピン
８０              牽制金具
８２              ゲージ
【図１】
2007267615.tif 000003
【図２】
2007267615.tif 000004
【図３】
2007267615.tif 000005
【図４】
2007267615.tif 000006
【図５】
2007267615.tif 000007
【図６】
2007267615.tif 000008
【図７】
2007267615.tif 000009
【図８】
2007267615.tif 000010
【図９】
2007267615.tif 000011
【図１０】
2007267615.tif 000012
【図１１】
2007267615.tif 000013
【図１２】
2007267615.tif 000014
【図１３】
2007267615.tif 000015
【図１４】
2007267615.tif 000016